(57)【要約】【課題】幼老人や目の不自由な人，暗い所で作業をする人，或いは蟹，イカ，焼肉等を出す料亭のお客（話に熱中し，お酒を飲むことが多い）等にとって，従来のハサミは安全で使い易いとはいえなかった。【解決手段】刃部の長さがほぼ等しい一対の刃物を備えたハサミにおいて，片方の刃物の前記刃部より先方に，同刃部と同一方向を指向して，刃の無い延長部を設けた。  刃の無い延長部が先端にある為，暗所作業者，幼老人や目の不自由な人，料亭のお客等，誰にとっても安全である。また，通常，短い刃物を下側にして使用するが，こうすることにより，短い刃物の先端を基点にしてターンが容易になり，スムースに動かすことが出来る。更に，上側の刃物の延長部が，刃部と同一方向を指向しているので，切り進む方向を視認しながら作業することが出来る。【選択図】  図２
2005103236.tif 000002
【特許請求の範囲】
【請求項１】
刃部の長さがほぼ等しい一対の刃物を備えたハサミにおいて，片方の刃物の前記刃部より先方に，同刃部と同一方向を指向して，刃の無い延長部を設けたことを特徴とする安全ハサミ
【請求項２】
前記延長部の背側に，触覚マークを設けたことを特徴とする請求項１記載の安全ハサミ
【請求項３】
前記延長部に，レンズ，ライトの内少なくとも一方を備えたキャップを，着脱自在に設けたことを特徴とする請求項１，２記載の安全ハサミ
【請求項４】
前記延長部始端付近の背側に，触覚マークを設けたことを特徴とする請求項１，２，３記載の安全ハサミ
【発明の詳細な説明】
【技術分野】
【０００１】  本発明は，暗所作業者，幼老人や目の不自由な人，料亭のお客等，誰にとっても安全で便利なハサミに関する。
【背景技術】
【０００２】  従来のハサミは，目的に応じて様々なものがあるが，誰にとっても（即ち，どのような目的に対しても）安全で便利とはいえなかった。
【発明の開示】
【発明が解決しようとする課題】
【０００３】  幼老人や目の不自由な人，暗い所で作業をする人，或いは話に熱中し，お酒を飲むことの多い料亭のお客等にとって，従来のハサミは安全で使い易いとはいえなかった。
【課題を解決するための手段】
【０００４】  本発明の請求項１に係る発明は，刃部の長さがほぼ等しい一対の刃物を備えたハサミにおいて，片方の刃物の前記刃部より先方に，同刃部と同一方向を指向して，刃の無い延長部を設けたものである。【０００５】  本発明の請求項２に係る発明は，請求項１において，前記延長部の背側に，触覚マークを設けたものである。【０００６】  本発明の請求項３に係る発明は，請求項１，２において，前記延長部に，レンズ，ライトの内少なくとも一方を備えたキャップを，着脱自在に設けたものである。【０００７】  本発明の請求項４に係る発明は，請求項１，２，３において，前記延長部始端付近の背側に，触覚マークを設けたものである。
【発明の効果】
【０００８】  本発明の請求項１に係るハサミは，刃物を閉じた状態では，刃の無い延長部が先端にある為，暗所作業者，幼老人や目の不自由な人，料亭のお客等，誰にとっても安全である。また，通常，短い刃物を下側にして使用するが，こうすることにより，短い刃物の先端を基点にしてターンが容易になり，スムースに動かすことが出来る。更に，上側の刃物の延長部が，刃部と同一方向を指向しているので，切り進む方向を視認しながら作業することが出来る。【０００９】  本発明の請求項２に係るハサミは，延長部の背側に，触覚マークを設けているので，そのマークに触れ，短い刃物の先端位置を確認しながら，それを基点にしてターンして細かく動かすことが出来るので，暗所作業者，幼老人や目の不自由な人，料亭のお客等，誰にとっても安全で便利に使用出来る。【００１０】  本発明の請求項３に係るハサミは，レンズ，ライトの内少なくとも一方を備えたキャップを，着脱自在に延長部に取付けることが出来る。従って，特に暗所作業に適しているが，老人や弱視者にとっても便利なハサミである。【００１１】  本発明の請求項４に係るハサミは，延長部始端付近の背側に，触覚マークを設けているので，請求項２より更に正確に短い刃物３の先端位置を確認しながら作業が出来る。また，この触覚マークは前記キャップを取付けるときのストッパーの役目も果たす。
【発明を実施するための最良の形態】
【実施例１】
【００１２】  図１は本発明の実施例１に係るハサミの正面図（刃を閉じた状態），図２も同じく正面図（刃を開いた状態），図３は図１のＩＩＩ−ＩＩＩ矢視図である。
これらの図において，１はハサミ，２，３はハサミ１を構成する一対の刃物で，刃部２ａ，３ａを備えている。４，５は把手，６は枢軸である。一対の刃物２，３の内，片方の刃物２には，他方の刃物３の先端より先の方に，長さｂの刃の無い延長部２ｂが，刃部２ａと同一方向を指向して設けられており，延長部２ｂの背側（刃部２ａと反対側）には，指で触って安全に確認出来る波形等の触覚マーク２ｃが設けられてぃる。また本実施例では，延長部２ｂの始端付近の脊側に，触っても安全な突起等の触覚マーク２ｄが設けられている。なお，延長部２ｂの先端部及び延長部の無い他方の刃物３の先端部は丸みを付けて安全に構成されている。【００１３】ハサミ１は，刃を閉じた状態では図１のように延長部２ｂに刃が無く，先端が丸くなっているので触っても安全である。使用するときは，通常短い刃物３を下側にするが，利き手でハサミを持ち，他の手の小指，薬指で対象物を抑え，人差し指，中指で延長部２ｂの触覚マーク２ｃに触れ，短い刃物３の先端位置を確認しながら切り進むことが出来る。触覚マークが２ｄのように，短い刃物３の先端位置付近にマークされていれば，更に正確に短い刃物３の先端位置を確認しながら作業が出来る。こうすることによりターンが容易になり，スムースに動かすことが出来るので，細かい作業も容易に出来る。更に，上側の刃物の延長部が，刃部２ａと同一方向を指向しているので，切り進む方向を視認しながら作業することが出来る。極く小さいハサミの場合は利き手でハサミを持ち，同じ手の指で触覚マーク２ｃ，２ｄに触れながら作業が出来る。【００１４】  このように本実施例のハサミは，安全でスムースに動かすことが出来るので，暗所作業者，幼老人や目の不自由な人，蟹，イカ，焼肉等を出す料亭のお客（話に熱中し，お酒を飲むことが多い），水槽内でイカを長く活かす為に墨袋を切り裂く作業，更には病院における包帯の切断作業等，様々な分野で，誰にとっても安全で便利に使用することが出来る。
【実施例２】
【００１５】  図４は本発明の実施例２に係るハサミの正面図（刃を閉じた状態），図５も同じく正面図（刃を開いた状態），図６は図４のＶＩ−ＶＩ矢視図である。
これらの図において，１１は，ハサミ１の延長部２ｂに，着脱自在に取付けられたキャップである。図７はキャップ１１の拡大図で，（ａ）は側断面図，（ｂ）は平面図であるが，キャップ１１には，豆電球，発光ダイオード等のライト１２とレンズ１３が設けられている。ライト１２は，スイッチ１４を介して電池１５と電線１６で接続されている。ライト１２とレンズ１３は，いずれか一方を設けても良い。また，触覚マーク２ｄはキャップ１１を取付けるときのストッパーの役目を果たす場合もある。【００１６】  本実施例は，特に暗所での作業に適している。例えば，夜釣をする人が釣糸切る場合，釣人はハサミ１の延長部２ｂにキャップ１１を被せ，スイッチ１４を押してライト１２を点灯させて手元を照らす。そして，レンズ１３で拡大視しながら，暗所でも正確な位置で釣糸を切ることが出来る。勿論，昼間の釣人はライト１２を用いず，レンズ１３だけを使って作業する。本実施例は，特に暗所の作業に適しているが，老人や弱視者にとっても便利な道具である。
【図面の簡単な説明】
【００１７】
【図１】本発明の実施例１に係るハサミの正面図（刃を閉じた状態）
【図２】本発明の実施例１に係るハサミの正面図（刃を開いた状態）
【図３】図１のＩＩＩ−ＩＩＩ矢視図
【図４】本発明の実施例２に係るハサミの正面図（刃を閉じた状態）
【図５】本発明の実施例２に係るハサミの正面図（刃を開いた状態）
【図６】図４のＶＩ−ＶＩ矢視図
【図７】キャップの拡大図で，（ａ）は側断面図，（ｂ）は平面図である。
【符号の説明】
【００１８】  １・・・ハサミ
２・・・刃物
３・・・刃物
２ａ・・・刃部
２ｂ・・・延長部
２ｃ・・・触覚マーク
２ｄ・・・触覚マーク
３ａ・・・刃部
４・・・把手
５・・・把手
６・・・枢軸
１１・・・キャップ
１２・・・ライト
１３・・・レンズ
１４・・・スイッチ
１５・・・電池
１６・・・電線
【図１】
2005103236.tif 000003
【図２】
2005103236.tif 000004
【図３】
2005103236.tif 000005
【図４】
2005103236.tif 000006
【図５】
2005103236.tif 000007
【図６】
2005103236.tif 000008
【図７】
2005103236.tif 000009